(57)【特許請求の範囲】
【請求項１】
前群レンズおよび後群レンズを有し、前群レンズおよび後群レンズを一体として光軸に沿って移動させてズーミングし、後群レンズを前群レンズに対して光軸に沿って相対的に接離移動させて焦点調節するズームレンズの駆動方法であって、
ズーミング操作時には、前群レンズおよび後群レンズを、後群レンズが前群レンズに対して最接近した待機位置を維持して一体に前後移動し、設定された焦点距離で停止させ、
レリーズ操作時には、前群レンズを、ズーミング操作で設定された所定焦点距離位置まで移動させるとともに、後群レンズを前群レンズに対して離反する合焦位置まで後退移動させ、レリーズ終了後、後群レンズを前記待機位置まで前進移動させるとともに、前群レンズをレリーズ動作開始時の位置まで移動させること、を特徴とするズームレンズのレンズ駆動方法。
【請求項２】
前群レンズおよび後群レンズと、後群レンズを前群レンズに対して光軸に沿って接離移動させる後群移動手段と、これらの前群レンズ、後群レンズおよび後群移動手段を一体として光軸に沿って移動自在に支持する移動鏡筒と、および移動鏡筒を光軸に沿って前後移動してズーミングする全体移動手段を備えたズームレンズの駆動方法であって、
ズーミング操作時には前記全体移動手段を駆動して、前記移動鏡筒を、後群レンズが前群レンズに対して最接近した待機位置を維持して一体に前後移動し、設定された焦点距離で停止させ、
レリーズ操作時には、前記全体移動手段を駆動して前記移動鏡筒を、ズーミング操作で設定された所定焦点距離位置まで移動させるとともに、前記後群移動手段を駆動して前記後群レンズを前群レンズに対して離反する合焦位置まで後退移動させ、レリーズ終了後、前記後群移動手段を駆動して後群レンズを前記待機位置まで前進移動させるとともに、前記全体移動手段を駆動して移動鏡筒をレリーズ動作開始時の位置まで移動させること、を特徴とするズームレンズのレンズ駆動方法。
【請求項３】
請求項１または２記載のズームレンズのレンズ駆動方法において、レリーズ操作時には、その時点の被写体距離と、ズーミング操作により決定された焦点距離とに応じた移動量だけ、後群レンズを前群レンズに対して後方に移動させるズームレンズのレンズ駆動方法。
【発明の詳細な説明】
【０００１】
【発明の属する技術分野】
本発明は、ズームレンズのレンズ駆動方法およびズームレンズ鏡筒に関する。
【０００２】
【従来技術およびその問題点】
カメラ本体から鏡筒を繰り出すことでズーミングを行うズームレンズを備えたカメラでは、カメラ本体から鏡筒が繰り出された状態で、鏡筒前端にカメラ本体側に向かう大きな外力や衝撃を受けると、クラッチ等の作動によって鏡筒が本体側に繰り込まれ、よって鏡筒や該鏡筒の駆動機構の損傷が防止される。
【０００３】
ところで、前群レンズと後群レンズを有する２群タイプのズームレンズを備えたカメラでは、前群レンズと後群レンズの間隔は広角端（ワイド端）側では長く、望遠端（テレ端）側では短くなる。よって、前群レンズに対して後群レンズを後方に移動させてズーミングを行う構成を有するカメラでは、特にワイド端側で、前群レンズに対して後群レンズが後方（フィルム面側）に最も離間した位置に移動することになる。このため、カメラ本体から鏡筒を繰り出すことでズーミングを行う２群タイプのズームレンズを備えたカメラでは、カメラ本体から鏡筒が繰り出された状態、特にテレ端側に繰り出された状態で鏡筒前端にカメラ本体側に向かう大きな外力や衝撃を受けると、上述したように鏡筒や該鏡筒の駆動機構はクラッチ等の作動によって防止されるが、鏡筒が本体側に繰り込まれると同時に、前群レンズに対して後方に大きく離間した後群レンズがフィルム面に衝突してフィルム、後群レンズ、レンズの駆動機構等を損傷する虞れがあった。
【０００４】
【発明の目的】
本発明は、以上の問題点に鑑みて成されたもので、カメラ本体から鏡筒が繰り出された状態で、鏡筒前端にカメラ本体側に向かう大きな外力や衝撃を受けて鏡筒が繰り込まれても、後群レンズがフィルム面に衝突してフィルム、後群レンズ、レンズの駆動機構等を損傷することを防止することができるズームレンズのレンズ駆動方法およびズームレンズ鏡筒を提供することを目的とする。
【０００５】
【発明の概要】
本発明のズームレンズのレンズ駆動方法は、前群レンズおよび後群レンズを有し、前群レンズおよび後群レンズを一体として光軸に沿って移動させてズーミングし、後群レンズを前群レンズに対して光軸に沿って相対的に接離移動させて焦点調節するズームレンズの駆動方法であって、ズーミング操作時には、前群レンズおよび後群レンズを、後群レンズが前群レンズに対して最接近した待機位置を維持して一体に前後移動し、設定された焦点距離で停止させ、レリーズ操作時には、前群レンズを、ズーミング操作で設定された所定焦点距離位置まで移動させるとともに、後群レンズを前群レンズに対して離反する合焦位置まで後退移動させ、レリーズ終了後、後群レンズを前記待機位置まで前進移動させるとともに、前群レンズをレリーズ動作開始時の位置まで移動させることを特徴としている。
【０００６】
請求項２記載のズームレンズのレンズ駆動方法にかる発明は、前群レンズおよび後群レンズと、後群レンズを前群レンズに対して光軸に沿って接離移動させる後群移動手段と、これらの前群レンズ、後群レンズおよび後群移動手段を一体として光軸に沿って移動自在に支持する移動鏡筒と、および移動鏡筒を光軸に沿って前後移動してズーミングする全体移動手段を備えたズームレンズの駆動方法であって、ズーミング操作時には前記全体移動手段を駆動して、前記移動鏡筒を、後群レンズが前群レンズに対して最接近した待機位置を維持して一体に前後移動し、設定された焦点距離で停止させ、レリーズ操作時には、前記全体移動手段を駆動して前記移動鏡筒を、ズーミング操作で設定された所定焦点距離位置まで移動させるとともに、前記後群移動手段を駆動して前記後群レンズを前群レンズに対して離反する合焦位置まで後退移動させ、レリーズ終了後、前記後群移動手段を駆動して後群レンズを前記待機位置まで前進移動させるとともに、前記全体移動手段を駆動して移動鏡筒をレリーズ動作開始時の位置まで移動させることを特徴としている。
【０００７】
【発明の実施の形態】
以下図示実施形態に基づいて本発明を説明する。この実施形態は、図１３に示すレンズシャッタ式ズームレンズカメラに備わったズームレンズ鏡筒に本発明を適用したものであり、最初に、この図１３について、このズームレンズカメラの概念を説明する。このズームレンズカメラに備わったズームレンズ鏡筒１０は、第１移動鏡筒２０、第２移動鏡筒１９、及び第３移動鏡筒１６の３つの移動鏡筒（繰出鏡筒）を有する３段繰出タイプのズームレンズ鏡筒である。このズームレンズ鏡筒１０のレンズ構成は、前群レンズＬ１と後群レンズＬ２の２群である。
【０００８】
カメラ本体には、全体移動モータ制御手段６０、後群移動モータ制御手段６１、ズーム操作手段６２、シャッタレリーズ手段６３、測距装置６４、測光装置６５、及びＡＥモータ制御手段６６が設けられている。
【０００９】
全体移動モータ制御手段６０は、カメラボディに設けたズーム操作レバー等のズーム操作手段６２が操作されたとき（即ちズーミング操作時）、全体移動モータ２５に対し、前群レンズＬ１と後群レンズＬ２からなるズームレンズをワイド側からテレ側に移動させるための移動指令、またはテレ側からワイド側に移動させるための移動指令を与える。撮影者によるズーム操作手段６２の操作によって、焦点距離が変更され、任意の焦点距離に設定される。ファインダ視野の像倍率は、ズーム操作手段６２による焦点距離変化に連動して変化される。よって撮影者は、ズーム操作手段６２の操作による焦点距離変化を、ファインダ視野の像倍率変化を観察することで知ることができる。また、ズーム操作手段６２の操作によって設定される焦点距離は、例えば、ＬＣＤ表示パネル（図示せず）に表示される数値により認識することができる。
【００１０】
全体移動モータ制御手段６０はまた、シャッタレリーズ手段６３が操作されたとき、後群移動モータ制御手段６１を介して駆動される後群移動モータ３０とともに全体移動モータ２５を駆動して、前群レンズＬ１に対して後群レンズＬ２を後方に移動させて被写体に合焦させる。シャッタレリーズ手段６３は、レリーズボタンから構成されるもので、その一段押しで測距装置６４への測距指令と測光装置６５への測光指令を与え、二段押し（レリーズ操作）で、合焦動作させるとともに、ＡＥモータ制御手段６６を介してＡＦ／ＡＥシャッタユニット２１のシャッタ２７を動作させる。シャッタ２７は、測光装置６５からの測光出力を受けて、そのシャッタ羽根２７ａを所定時間開放する。本実施形態のズームレンズ鏡筒では、このシャッタ羽根２７ａを所定時間開放し、続いてシャッタ羽根２７ａを閉鎖させた直後、後群移動モータ３０を駆動して後群レンズＬ２を前進させて元の初期位置に復帰させる。このレンズ駆動態様が本発明の特徴である。この特徴部分の詳細は後述する。
【００１１】
ズーム操作手段６２は、操作されると、全体移動モータ２５を駆動して前群レンズＬ１と後群レンズＬ２を一体に移動させる。この移動と同時に後群移動モータ制御手段６１を介して後群移動モータ３０を動作させてもよいが、本ズームレンズカメラでは、ズーム操作手段６２による前群レンズＬ１と後群レンズＬ２の移動は、焦点の位置を移動させることなく焦点距離を連続的に変化させる従来のズーミングの概念では行なわない。つまり、ズーム操作手段６２が操作されたとき、
▲１▼全体移動モータ２５のみを動作させて、前群レンズＬ１と後群レンズＬ２を両者の空気間隔を変化させることなく前後に移動させる態様、及び、
▲２▼全体移動モータ２５と後群移動モータ３０の双方を動作させて、前群レンズＬ１と後群レンズＬ２を両者の空気間隔を変化させながら移動させる態様、
とが可能である。
【００１２】
▲１▼の態様では、特定距離の被写体に常時ピントは合わないが、撮影光学系による像を観察する訳ではない本カメラのようなレンズシャッタ式カメラでは、シャッタレリーズ時にピントが合えばよいから全く問題がない。また、▲２▼の態様では、焦点位置の移動を許容しつつ前群レンズＬ１と後群レンズＬ２を移動させ、シャッタレリーズ時に全体移動モータ２５と後群移動モータ３０の双方を動作させてピントを合わせる。
【００１３】
ズーム操作手段６２の操作に応じて上記▲１▼または▲２▼の何れかの制御態様を実行した後、ズーム操作手段６２によって設定される焦点距離の少なくとも一部の焦点距離域においてシャッタレリーズ手段６３が操作されたとき、全体移動モータ２５と後群移動モータ３０の双方を動作させて被写体に合焦させる。このときの全体移動モータ２５と後群移動モータ３０による前群レンズＬ１と後群レンズＬ２の移動量は、測距装置６４による被写体距離情報によって得られる移動量だけでなく、ズーム操作手段６２によって設定される焦点距離情報によって得られる移動量を加味して決定される。このように、シャッタレリーズ手段６３が操作されたとき、全体移動モータ２５と後群移動モータ３０の双方を動作させて合焦動作を行わせると、レンズ位置の制御に自由度が生れ、その制御が容易になる。
【００１４】
なお、理論的には、ズーム操作手段６２の操作時には、全体移動モータ２５と後群移動モータ３０のいずれも動作させずに単にファインダの視野倍率と焦点距離情報だけを変化させ、シャッタレリーズ手段６３が操作されたときに、その焦点距離情報と測距装置６４による被写体距離情報とにより全体移動モータ２５と後群移動モータ３０を同時に動作させて、その焦点距離情報と被写体距離情報によって一義的に決定される位置に前群レンズＬ１と後群レンズＬ２を移動させることもできる。
【００１５】
次に、主に図１１と図１２を用いて、上記概念のズームレンズ鏡筒１０を具体的にした実施形態を説明する。
本ズームレンズ鏡筒１０の概略構成と動作を最初に説明すると、前方から順に、第１移動鏡筒２０、第２移動鏡筒１９、第３移動鏡筒１６、及び固定鏡筒ブロック１２が備えられている。第３移動鏡筒１６は、固定鏡筒ブロック１２の筒状部に螺合され、回動とともに光軸方向に進退する。第３移動鏡筒１６は、光軸方向に一体に移動する、回転を規制された直進案内筒１７を内方に有し、第２移動鏡筒１９はこの直進案内筒１７に対して相対回転しながら光軸方向に進退する。第１移動鏡筒２０は、回転を規制されていて、第２移動鏡筒１９に対する相対回転により光軸方向に進退する。全体移動モータ２５は、固定鏡筒ブロック１２に固定され、後群移動モータ３０とＡＥモータ２９を搭載したシャッタ取付台４０は、第１移動鏡筒２０に固定されている。前群レンズＬ１は、前群レンズ支持筒３４に支持された正のパワーを有するレンズであり、後群レンズＬ２は、後群レンズ支持筒５０に支持された負のパワーを有するレンズである。
【００１６】
カメラボディのアパーチャ板１４の前方に固定される固定鏡筒ブロック１２は、その筒状部の内周面に、雌ヘリコイド１２ａと、光軸Ｏと平行な複数（４本）の直進案内溝１２ｂとを有している。この複数の直進案内溝１２ｂの１つには、直進案内筒１７に形成された係合突起１７ｃ′（図１２参照）が摺動自在に係合している。この係合突起１７ｃ′が係合する直進案内溝１２ｂの底部には、所定のパターンを有するコード板１３ａが固定されている。このコード板１３ａは、固定鏡筒ブロック１２の外方に位置するフレキシブルプリント基板１３の一部として構成されている。アパーチャ板１４は、フィルムへの露光領域を決定するアパーチャ１４ａを有する。
【００１７】
固定鏡筒ブロック１２の筒状部には、径方向外方に膨出しかつ光軸方向に延びるギヤ収納部１２ｃが形成されている（図７参照）。このギヤ収納部１２ｃには、光軸方向に長い駆動ピニオン１５が回転自在に収納されている。この駆動ピニオン１５はその軸７の両端部を、固定鏡筒ブロック１２に設けた支持孔４とギヤ支持板３１に設けた支持孔３１ａにそれぞれ回転自在に支持されている。この駆動ピニオン１５の歯面は、固定鏡筒ブロック１２の内周面に突出している。
【００１８】
固定鏡筒ブロック１２の筒状部内周には、第３移動鏡筒１６が螺合されている。この第３移動鏡筒１６は、内周面に、光軸Ｏと平行な複数（３本）の直進案内溝１６ｃを有し、後端部外周に、固定鏡筒ブロック１２の雌ヘリコイド１２ａと噛み合う雄ヘリコイド１６ａと、駆動ピニオン１５と噛み合う外周ギヤ１６ｂ（図６参照）とを有している。駆動ピニオン１５は、第３移動鏡筒１６の光軸方向の全移動域において、この外周ギヤ１６ｂと噛み合う軸方向長さを有する。
【００１９】
第３移動鏡筒１６の内周には、直進案内筒１７が、この第３移動鏡筒１６と光軸方向に一体に移動可能かつ光軸回りに相対回転可能に支持されている。直進案内筒１７は、後部外周に、径方向外方に突出する複数（４つ）の係合突起１７ｃを備えた後端フランジ部１７ｄと、この後端フランジ部１７ｄの前方にやや隙間を開けて設けた、該フランジ部１７ｄより小径の抜止フランジ部１７ｅとを有している。この抜止フランジ部１７ｅの周方向に、複数の切欠部１７ｆが形成されている。第３移動鏡筒１６は、後端部内周に、径方向内方に突出する複数の係合突起１６ｄ（図１１）を有し、この係合突起１６ｄを上記切欠部１７ｆから挿入して両フランジ部１７ｄ、１７ｅ間の隙間に位置させ、直進案内筒１７に対し所定量相対回転することにより該直進案内筒１７と結合している。直進案内筒１７の後端面には、アパーチャ１４ａと略同形の開口２３ａを有するアパーチャ板２３が固定されている。各係合突起１７ｃは、固定鏡筒ブロック１２の筒状部内周に形成された対応の直進案内溝１２ｂに摺動自在に係合されており、回転を規制されている。係合突起１７ｃの１つである係合突起１７ｃ′には、対応の直進案内溝１２ｂの底部に固定されたコード板１３ａと摺接してズーミング時の焦点距離に対応する信号を発生させるための接触端子９が固定されている。
【００２０】
また、直進案内筒１７の内周面には、光軸Ｏと平行な直進案内溝１７ａが２本、及びこの直進案内溝１７ａよりも周方向の幅が若干幅広の直進案内溝１７ｇが１本形成されている。
【００２１】
各直進案内溝１７ａには、直進案内部材２２に形成された対応の係合突起２８ａが摺動自在に係合し、直進案内溝１７ｇには、直進案内部材２２に形成された係合突起２８ｂが摺動自在に係合する。また、直進案内溝１７ｇの底部と係合突起２８ｂの間には、フレキシブルプリント基板６の一部が通されている。さらに直進案内筒１７には、その周壁を貫通しかつ円周方向及び光軸方向に対して傾斜する複数（３本）のリード溝（カム溝）１７ｂが形成されている。
【００２２】
直進案内筒１７の内周には、第２移動鏡筒１９が嵌合されている。この第２移動鏡筒１９は、内周面に、リード溝１７ｂとは逆傾斜の複数（３本）のリード溝１９ｃを有し、後端部外周に、径方向外方に突出する複数（３つ）の断面台形状のフォロア突起１９ａと、このフォロア突起１９ａ上に位置するフォロアピン１８とを有する。このフォロアピン１８は、リング部材１８ａと、このリング部材１８ａをフォロア突起１９ａ上に支持する中心固定ねじ１８ｂとからなっている。各フォロア突起１９ａは、直進案内筒１７の対応のリード溝１７ｂに摺動可能に嵌まり、各フォロアピン１８は、第３移動鏡筒１６の対応の直進案内溝１６ｃに摺動可能に嵌まる。よって、第３移動鏡筒１６が回転すると、第２移動鏡筒１９が回転しながら光軸方向に直進移動する。
【００２３】
第２移動鏡筒１９の内周には、第１移動鏡筒２０が嵌合されている。この第１移動鏡筒２０は、後端部外周に備えた複数（３つ）のフォロアピン２４を、対応する内周リード溝１９ｃに係合させ、かつ直進案内部材２２により直進案内されている。この直進案内部材２２は、環状部２２ａと、この環状部２２ａから光軸方向に延びる一対の案内脚部２２ｂとを有し、第１移動鏡筒２０の内周面とＡＦ／ＡＥシャッタユニット２１の間に案内脚部２２ｂを直進案内可能に挿入している。また直進案内部材２２は、環状部２２ａの径方向外方に突出させた、直進案内溝１７ａに摺動自在に係合する２つの係合突起２８ａと、直進案内溝１７ｇに摺動自在に係合する１つの係合突起２８ｂとを有している。
【００２４】
また直進案内部材２２の環状部２２ａは、第２移動鏡筒１９の後端部に、光軸方向に一体に移動可能かつ光軸回りに相対回転可能に結合されている。この直進案内部材２２は、後部外周に、係合突起２８ａ、２８ｂを備えた後端フランジ部２２ｄと、この後端フランジ部２２ｄの前方にやや隙間を開けて設けた、該フランジ部２２ｄより小径の抜止フランジ部２２ｃを有し、この抜止フランジ部２２ｃの周方向に、複数（３つ）の切欠部２２ｅを有している（図１、図２参照）。第２移動鏡筒１９は、後端部内周に、径方向内方に突出する複数（３つ）の係合突起１９ｂ（図１１参照；同図中に１つのみ表れている）を有し、各係合突起１９ｂを対応の切欠部２２ｅから挿入して両フランジ部２２ｃ、２２ｄ間の隙間に位置させ、直進案内部材２２に対し所定量相対回転することにより該直進案内部材２２と結合している。上記構成により、第１移動鏡筒２０は、第２移動鏡筒１９が正逆に回転するとき、回転を規制されたまま、該第２移動鏡筒１９に対して光軸方向前後に直進移動する。
【００２５】
この第１移動鏡筒２０の前端部には、バリヤ４８ａ、４８ｂを備えたバリア装置３５が装着され、内周面には、３枚のシャッタ羽根２７ａ（図５）からなるシャッタ２７を備えたＡＦ／ＡＥシャッタユニット２１が嵌合固定されている。このＡＦ／ＡＥシャッタユニット２１は、シャッタ取付台４０の外周部に等角度間隔で形成した複数の固定孔４０ａ（図３）を有している。上記複数のフォロアピン２４は、このＡＦ／ＡＥシャッタユニット２１の固定手段を兼ねており、第１移動鏡筒２０に形成したピン孔２０ａと、この固定孔４０ａに、このフォロアピン２４が嵌入固定されて、このシャッタユニット２１が第１移動鏡筒２０に固定されている（図４参照）。フォロアピン２４は例えば接着、ねじ止め等の手段で固定できる。なお、４１は、第１移動鏡筒２０の前端部に固定される飾り板である。
【００２６】
ＡＦ／ＡＥシャッタユニット２１は、図５と図１２に示されるように、シャッタ取付台４０と、このシャッタ取付台４０の後部に固定されるシャッタ羽根支持環４６と、このシャッタ取付台４０に対して移動自在に支持される後群レンズ支持筒５０（後群レンズＬ２）とを有している。このシャッタ取付台４０には、前群レンズ支持筒３４とＡＥモータ２９と後群移動モータ３０が支持されている。このシャッタ取付台４０は、前群レンズ支持筒３４の後端部と係合する撮影開口４０ｄを備えた環状部と、この環状部から後方に向けて延出された３つの脚部４０ｂとを有している。この３つの脚部４０ｂ間の隙間のうち２箇所は、直進案内部材２２の一対の案内脚部２２ｂをそれぞれ摺動自在に係合させて移動ガイドする直進案内部４０ｃとして構成されている。
【００２７】
シャッタ取付台４０にはさらに、ＡＥモータ２９の回転をシャッタ２７に伝えるＡＥギヤ列４５と、後群移動モータ３０の回転をスクリューシャフト４３に伝えるレンズ駆動ギヤ列４２と、フレキシブルプリント基板６に接続されたフォトインタラプタ５６、５７と、円周方向に多数のスリットを備えた回転板５８、５９とが支持されている。上記フォトインタラプタ５７と回転板５９によって、後群移動モータ３０の回転を検知する後群移動モータ用エンコーダが構成され、フォトインタラプタ５６と回転板５８によって、ＡＥモータ２９の回転を検知するＡＥモータ用エンコーダが構成されている。
【００２８】
シャッタ取付台４０とこの取付台４０に固定したシャッタ羽根支持環４６の間に、上記シャッタ２７と、このシャッタ２７の３枚のシャッタ羽根２７ａを枢支する支持部材４７と、シャッタ羽根２７ａに回動力を付与する環状駆動部材４９とが位置している。環状駆動部材４９は、３枚のシャッタ羽根２７ａにそれぞれ係合する３つの操作突起４９ａを等角度間隔で備えている。シャッタ羽根支持環４６は、前壁部に、撮影開口４６ａと、この撮影開口４６ａの周囲に等角度間隔で設けた３つの支持孔４６ｂを有し、外周部に、直進案内部４０ｃから露出して上記一対の案内脚部２２ｂの内周面を摺動自在に支持する撓み規制面４６ｃを有している（図９、図１０参照）。
【００２９】
また、シャッタ羽根支持環４６の前方に位置する支持部材４７は、撮影開口４６ａに対向する撮影開口４７ａと、３つの支持孔４６ｂとそれぞれ対向する３つの軸部４７ｂ（図５に一箇所のみ示す）とを有している。３枚のシャッタ羽根２７ａはそれぞれ、一端部に、軸部４７ｂを挿通させる軸孔２７ｂを有し、他端部に、撮影開口４６ａ、４７ａを遮蔽する遮蔽部を有し、該一端部と他端部の間に、上記操作突起４９ａを挿通させる長孔２７ｃを有している。上記支持部材４７は、シャッタ羽根２７ａをそれぞれ支持した各軸部４７ｂを、シャッタ羽根支持環４６の対応する支持孔４６ｂに嵌合させた状態で、このシャッタ羽根支持環４６に固定されている。
【００３０】
環状駆動部材４９は、外周部に、ギヤ列４５からの回転を受けるギヤ部４９ｂを有する。また支持部材４７は、３つの軸部４７ｂと近接する位置に、円周方向に沿う３つの円弧溝４７ｃを有している。環状駆動部材４９の上記３つの操作突起４９ａは、該３つの円弧溝４７ｃを貫通して、各シャッタ羽根２７ａの長孔２７ｃに係合している。シャッタ羽根支持環４６は、これら環状駆動部材４９、支持部材４７及びシャッタ２７を支持した状態でシャッタ取付台４０の後方側から挿入され、このシャッタ取付台４０にねじ止めされている。
【００３１】
シャッタ羽根支持環４６の後方には、シャッタ取付台４０にスライドシャフト５１、５２を介して移動自在に支持された後群レンズ支持筒５０が配置されている。シャッタ取付台４０と後群レンズ支持筒５０は、スライドシャフト５１に嵌合されたコイルばね３によって互いに離れる方向に移動付勢されており、これにより両者間のガタが除去されている。また、上記ギヤ列４２に備えられた駆動ギヤ４２ａは、軸方向の移動が規制されており、その内周に雌ねじが形成されている。この雌ねじに、後群レンズ支持筒５０に一端部を固定されたスクリューシャフト４３が螺合しており、これら駆動ギヤ４２ａとスクリューシャフト４３とにより送りねじ機構が構成されている。よって、後群移動モータ３０が回転駆動して駆動ギヤ４２ａが正逆いずれかに回転すると、スクリューシャフト４３がこの駆動ギヤ４２ａに対して進退し、後群レンズ支持筒５０つまり該支持筒５０に支持した後群レンズＬ２が前群レンズＬ１に対して移動する。
【００３２】
シャッタ取付台４０の前部には、このシャッタ取付台４０に支持した上記モータ２９、３０等を押える押え部材５３、５５がねじ止めされている。シャッタ取付台４０に一端部を固定された上記フレキシブルプリント基板６には、モータ２９、３０、及びフォトインタラプタ５６、５７が接続されている。第１〜第３移動鏡筒２０、１９、１６及びＡＦ／ＡＥシャッタユニット２１等を組立てた状態において、直進案内筒１７の後端面にアパーチャ板２３が固定され、また筒状部１１の前端部に、環状の抜止め部材３３が嵌着されている。
【００３３】
本実施形態では、前群レンズＬ１と後群レンズＬ２をそれぞれ、ＡＦ／ＡＥシャッタユニット２１に支持し、該ユニット２１に、ＡＥモータ２９と後群移動モータ３０を搭載している。この構成によると、前群レンズＬ１と後群レンズＬ２の支持構造及び駆動構造を単純化できるという利点があるが、前群レンズＬ１と後群レンズＬ２のうちの少なくとも一方を、シャッタ取付台４０、環状駆動部材４９、支持部材４７、シャッタ２７及びシャッタ羽根押え環４６等を備えたＡＦ／ＡＥシャッタユニット２１とは別部材とし、該ユニットとは別の支持部材に支持しても、本ズームレンズは成立する。
【００３４】
本ズームレンズカメラは、次のように作動する。ズームレンズ鏡筒１０が最も繰り込まれた図９のレンズ収納状態において、図示しない電源スイッチをオンすると、全体移動モータ２５が正方向に若干量回転駆動する。すると、この回転が、支持部３２に支持されたギヤ列２６を介して駆動ピニオン１５に伝えられ、第３移動鏡筒１６が繰り出し方向に回転されるため、第２移動鏡筒１９と第１移動鏡筒２０が該第３移動鏡筒１６とともに光軸方向に若干量繰り出され、カメラはズームレンズをワイド端に位置させた撮影可能状態となる。
【００３５】
この撮影可能状態において、ズーム操作手段６２をテレ側に操作すると、全体移動モータ制御手段６０を介して全体移動モータ２５が正方向に回転駆動し、駆動ピニオン１５、外周ギヤ１６ｂを介して第３移動鏡筒１６を繰り出し方向に回転させる。したがって、この第３移動鏡筒１６が雌ヘリコイド１２ａと雄ヘリコイド１６ａの関係により固定鏡筒ブロック１２から繰り出され、同時に、直進案内筒１７が、係合突起１７ｃと直進案内溝１２ｂの関係によって固定鏡筒ブロック１２に対し相対回転しない状態で、該第３移動鏡筒１６とともに光軸前方に進出する。このとき第２移動鏡筒１９は、フォロアピン１８をリード溝１７ｂと直進案内溝１６ｃに同時に係合させていることにより、第３移動鏡筒１６と同方向に相対回転しながら該移動鏡筒１６に対して光軸前方に相対移動する。また第１移動鏡筒２０は、直進案内部材２２によって直進案内されかつフォロアピン２４をリード溝１９ｃによって移動ガイドされるため、固定鏡筒ブロック１２に対して相対回転しない状態で、第２移動鏡筒１９からＡＦ／ＡＥシャッタユニット２１とともに光軸前方に進出する。
【００３６】
ズームレンズ鏡筒１０がこのように駆動する間、後群移動モータ３０は駆動しないため、前群レンズＬ１と後群レンズＬ２は互いの距離を一定に保ったまま一体的に光軸方向に移動する（図８参照）。ズーム操作手段６２によって設定される焦点距離は、表示手段（図示せず）によって表示される。
【００３７】
ズーム操作手段３１によって設定される任意の焦点距離において、レリーズボタンが一段押しされると、測距装置６４に測距指令が及び測光装置６５に測光指令が与えられて、測距及び測光が開始される。その後、レリーズボタンが二段押しされると、全体移動モータ２５と後群移動モータ３０の双方が、測距装置６４による被写体距離情報によって得られる移動量と、ズーム操作手段３１により設定される焦点距離情報によって得られる移動量とを加味して決定された移動量だけ前群レンズＬ１と後群レンズＬ２を移動させて設定焦点距離にするとともに被写体に合焦させ、ＡＥモータ制御手段６６を介してＡＥモータ２９が、測光装置６５からの被写体輝度情報に応じて環状駆動部材４９を回転駆動し、所定の露出を満たすようにシャッタ２７を駆動する。このシャッタレリーズの終了後、全体移動モータ２５と後群移動モータ３０の双方が直ちに駆動されて、前群レンズＬ１と後群レンズＬ２がシャッタレリーズ前の状態に戻される。
【００３８】
上述したレリーズボタンの二段押しによる前群レンズＬ１と後群レンズＬ２の移動制御に関して、より詳細には、レリーズボタンが二段押しされたとき、後群移動モータ３０が、測距装置６４による被写体距離情報によって得られる移動量と、ズーム操作手段３１により設定される焦点距離情報によって得られる移動量とを加味して決定された移動量だけ前群レンズＬ１に対して後群レンズＬ２を後方に移動させ、同時に、全体移動モータ２５が、測距装置６４による被写体距離情報によって得られる移動量と、ズーム操作手段３１により設定される焦点距離情報によって得られる移動量とを加味して決定された移動量だけ前群レンズＬ１を移動させ、これら前群レンズＬ１と後群レンズＬ２の合成移動によって設定焦点距離にするとともに被写体に合焦させる。その後、シャッタレリーズ完了後、後群移動モータ３０が直ちに駆動されて後群レンズＬ２が前群レンズＬ１に向かって移動されてシャッタレリーズ前の位置に戻され、同時に、全体移動モータ２５が直ちに駆動されて前群レンズＬ１がシャッタレリーズ前の位置に戻される。
【００３９】
ズーム操作手段６２がワイド側に操作されると、全体移動モータ２５が逆方向に回転駆動し、第３移動鏡筒１６が繰り込み方向に回転されて、直進案内筒１７とともに固定鏡筒ブロック１２の筒状部１１に繰り込まれる。同時に第２移動鏡筒１９が、第３移動鏡筒１６と同方向に回転しながら該移動鏡筒１６に対して繰り込まれ、第１移動鏡筒２０が、回転する第２移動鏡筒１９に対してＡＦ／ＡＥシャッタユニット２１とともに繰り込まれる。この繰込駆動時においても、後群移動モータ３０は、上述の繰出駆動時と同様、駆動しない。そしてズームレンズ鏡筒１０は、電源スイッチが切られると、これに基づき全体移動モータ２５の回転駆動によって、図１１に示すレンズ収納位置に繰り込まれる。
【００４０】
図１７は前群レンズＬ１及び後群レンズＬ２の移動軌跡を示しており、図１８は前群レンズＬ１に対する後群レンズＬ２の移動領域を示している。これら図１７及び図１８を用いて、本実施形態のズームレンズカメラのズームレンズ鏡筒の特徴であるレンズ駆動制御を更に詳しく述べる。図１７中、Ａ線は前群レンズＬ１の軌跡を示しており、Ｂ線は、レリーズボタンが二段押しされる前の後群レンズＬ２の軌跡を示しており、Ｃ線は、レリーズボタンが二段押しされたときにおける後群レンズＬ２の軌跡を示している。この図から、合焦動作の際、前群レンズＬ１と後群レンズＬ２の間隔はワイド端（Ｗ端）側では長く、テレ端（Ｔ端）側では短くなることが解る。
【００４１】
後群レンズＬ２は、ズーム操作手段６２の操作前及び操作中は、図１８の待機位置に位置されて、前群レンズＬ１との間隔が一定に保たれている。その後、レリーズボタンが二段押しされたとき、後群レンズＬ２が後方（図１８の右側）に移動し、撮影位置まで移動して合焦動作が行われる。この後群レンズＬ２の後方移動の際、先ずフォトセンサ（図示せず）を介して後群レンズＬ２（後群レンズ支持筒５０）の初期位置（基準位置）が検出され、この初期位置検出時からパルスカウントを開始し、測距装置６４による被写体距離情報によって得られる移動量と、ズーム操作手段３１により設定される焦点距離情報によって得られる移動量とを加味して決定された移動量に対応するパルスカウント数に達したときに後群移動モータ３０を停止させる。図１８中の「調整量」と記された範囲は、ズームレンズ鏡筒１０がテレ端に位置されかつ測距した被写体が無限遠にある場合における、初期位置からの最小パルスカウント数に相当する範囲である。つまり、後群レンズＬ２は、少なくとも初期位置からこの調整量だけ前群レンズＬ１に対して後方に移動される。
【００４２】
図１４は、ズームレンズ鏡筒１０がワイド端近傍に位置されかつレリーズボタンが二段押しされる前の状態を示している。図１５は、ズームレンズ鏡筒１０がワイド端近傍に位置されかつレリーズボタンが二段押しされた直後の状態を示している。上述したように、図１５に示す状態からシャッタレリーズ完了後、後群移動モータ３０が直ちに駆動されて後群レンズＬ２が前群レンズＬ１に向かって移動されて図１４に示す状態に戻される。
【００４３】
図１５に示す状態からシャッタレリーズ完了後、後群移動モータ３０を直ちに駆動せずに、後群レンズＬ２を撮影位置に位置させたままに（即ち図１５に示す状態のまま）にすると、第１移動鏡筒２０前端にカメラ本体側（図１５の右側）に向かう大きな外力や衝撃を受けると、全移動鏡筒（第１移動鏡筒２０、第２移動鏡筒１９、第３移動鏡筒１６）がカメラ本体側に繰り込まれて後群レンズＬ２がフィルムＦに衝突してフィルムＦや後群レンズＬ２のみならず、他の周辺機構等を損傷する虞れがある。この状態を図１６に示している。
【００４４】
しかしながら、本実施形態のカメラに備わったズームレンズ鏡筒のレンズ駆動制御によれば、図１５に示す状態からシャッタレリーズ完了後、後群移動モータ３０が直ちに駆動されて後群レンズＬ２が前群レンズＬ１に向かって移動されて図１４に示す状態に戻されるため、上述したような問題が起こることはない。
【００４５】
上記実施形態は、３段繰出ズームレンズ鏡筒に本発明を適用したものであるが、本発明はこれに限定されず、１段、２段または４段以上の繰出ズームレンズ鏡筒にも適用することができる。
【００４６】
【発明の効果】
以上のように、本発明のズームレンズのレンズ駆動方法およびズームレンズ鏡筒によれば、ズーミング操作時には、前群レンズと後群レンズの間隔を変化させずに一体に移動させ、レリーズ操作時に、前群レンズに対して後群レンズを後方に移動させ、レリーズ完了後、後群レンズを前群レンズに接近移動させてズーミング操作時の位置に復帰させるので、カメラ本体から鏡筒が繰り出された状態で、鏡筒前端にカメラ本体側に向かう大きな外力や衝撃を受けて鏡筒が繰り込まれても、後群レンズがフィルム面に衝突してフィルム、後群レンズ、レンズの駆動機構等が損傷することがない。
【図面の簡単な説明】
【図１】本発明を適用したズームレンズ鏡筒の一部を拡大して示す斜視図である。
【図２】同ズームレンズ鏡筒の一部を図１と異なる状態を示す斜視図である。
【図３】同ズームレンズ鏡筒の一部を拡大して示す分解斜視図である。
【図４】同ズームレンズ鏡筒のＡＦ／ＡＥシャッタユニットを第１移動鏡筒に組付けた状態を示す斜視図である。
【図５】同ズームレンズ鏡筒のＡＦ／ＡＥシャッタユニットの主要な部材を示す分解斜視図である。
【図６】同ズームレンズ鏡筒の第３移動鏡筒を示す斜視外観図である。
【図７】同ズームレンズ鏡筒の固定鏡筒ブロックを示す正面図である。
【図８】同ズームレンズ鏡筒の最大繰出状態を示す上半断面図である。
【図９】同ズームレンズ鏡筒のレンズ収納状態における要部を示す上半断面図である。
【図１０】同ズームレンズ鏡筒の最大繰出状態における要部を示す上半断面図である。
【図１１】同ズームレンズ鏡筒全体のレンズ収納状態を示す上半断面図である。
【図１２】同ズームレンズ鏡筒全体を示す分解斜視図である。
【図１３】同ズームレンズ鏡筒の作動を制御する制御系を示すブロック図である。
【図１４】同ズームレンズ鏡筒がワイド端近傍に位置されかつレリーズボタンがレリーズ操作される前の状態を示す上半断面図である。
【図１５】同ズームレンズ鏡筒がワイド端近傍に位置されかつレリーズボタンがレリーズ操作された直後の状態を示す上半断面図である。
【図１６】第１移動鏡筒前端にカメラ本体側に向かう外力を受けて全移動鏡筒がカメラ本体側に繰り込まれて後群レンズがフィルムＦに衝突した状態を示す上半断面図である。
【図１７】前群レンズ及び後群レンズの移動軌跡を示す図である。
【図１８】前群レンズに対する後群レンズの移動領域を示す図である。
【符号の説明】
１０  ズームレンズ鏡筒
１２  固定鏡筒ブロック
１６  第３移動鏡筒
１９  第２移動鏡筒
２０  第１移動鏡筒
２１  ＡＦ／ＡＥシャッタユニット
Ｆ  フィルム
Ｌ１  前群レンズ
Ｌ２  後群レンズ
【図１】
0003831439.tif 000002
【図２】
0003831439.tif 000003
【図３】
0003831439.tif 000004
【図４】
0003831439.tif 000005
【図５】
0003831439.tif 000006
【図６】
0003831439.tif 000007
【図７】
0003831439.tif 000008
【図８】
0003831439.tif 000009
【図９】
0003831439.tif 000010
【図１０】
0003831439.tif 000011
【図１１】
0003831439.tif 000012
【図１２】
0003831439.tif 000013
【図１３】
0003831439.tif 000014
【図１４】
0003831439.tif 000015
【図１５】
0003831439.tif 000016
【図１６】
0003831439.tif 000017
【図１７】
0003831439.tif 000018
【図１８】
0003831439.tif 000019